(57)【要約】      （修正有）【課題】椅子として使用可能な収納箱の構造を提供する。【解決手段】折りたたんで偏平状にすることが可能な箱体の上端の一辺を蓋体１２に連結し、箱体の内壁面における複数の角に近い位置に複数の第一固定部材１１２を設け、箱体の内壁面には、折り曲げ可能な複数の仕切り板１５Ａ，１５Ｂを連結させ、該仕切り板は、折り曲げた後に箱体の内壁面にくっつけるか、展開して箱体の内部空間を区切る。さらに、箱体内には複数の補強棒１４を設け、該補強棒に設けられた第二固定部材１４１によって補強棒１４を第一固定部材１１２に固定すると、該補強棒は箱体内の角の位置で直立した状態になり、箱体を補強する効果がある。また、蓋体１２で箱体の蓋をする際、補強棒によって蓋体が支えられ椅子として使用することができるようになる。仕切り板は、展開すると、箱体内部を複数の空間に区切ることができる以外に、蓋体を支える補助的な役目も果たす。【選択図】図７
0003160270.tif 000002
【実用新案登録請求の範囲】
【請求項１】
対向する二つの折り曲げ可能な側壁を具えた箱体の上端の一辺を、蓋体の一辺に連結させ、蓋体のその他の辺は側壁を形成し、
箱体の内壁面における複数の角に隣接する位置には複数の第一固定部材を設け、箱体の内壁面には折り曲げ可能な複数の仕切り板を連結させ、仕切り板は、折り曲げて箱体の内壁面にくっつけるか、展開させて箱体の内部空間を区切り、
さらに、箱体内に複数の補強棒を設け、補強棒には第一固定部材と相互に連結する第二固定部材を設け、第一固定部材と二固定部材を互いに連結させると、補強棒は箱体内で直立した状態になり、
蓋体の側壁は、対向する両側に設けられた二枚の第一側板と、二枚の第二側板と、二枚の第二側板に隣接する第三側板とによってなり、第一側板、第二側板、及び第三側板は軟性の布材で覆い、第一側板、第二側板、及び第三側板の間には、折り曲げ可能な折線を形成させることを特徴する、椅子として使用可能な収納箱の構造。
【請求項２】
前記第二側板は直角三角形であり、前記第一側板における前記第二側板に隣接する端部は、前記第二側板の直角三角形の斜辺に対応する斜辺を形成することを特徴とする、請求項１に記載の椅子として使用可能な収納箱の構造。
【請求項３】
前記箱体の内側壁に複数の環状留め具を設け、複数の吊掛棒を少なくとも二つの環状留め具に貫設することを特徴とする、請求項１に記載の椅子として使用可能な収納箱の構造。
【考案の詳細な説明】
【技術分野】
【０００１】
本考案は、椅子としての機能と、物を収納する機能を兼ね備えた収納箱の構造に関する。
【背景技術】
【０００２】
体積を縮小し、しまっておくのに便利にするため、現在、多くの種類の折りたたみ式収納箱が開発されている。その内の一つである、軟質の布料によって矩形の箱体を構成する折りたたみ式収納箱は、矩形の箱体上端の四辺にそれぞれ上水平棒を設け、箱体の下端の辺にはそれぞれ下水平棒を設け、箱体の四つの垂直辺にはそれぞれ垂直棒を設け、また、隣接する上水平棒端部の間、隣接する下水平棒端部の間、及び、垂直棒と、上・下水平棒の端部の間には適切な距離を設け、箱体の各垂直壁面に折線を形成させている。以上の構造により、軟質の箱体は、垂直棒、上水平棒、及び下水平棒の支えにより物を収容することができる収納箱になり、また折りたたんで偏平状にすることができる。
【０００３】
前述した従来技術による箱体は、軟質の布材によってなるため、各角に棒部材を設けることで支えているものの、箱体の各面は軟らかく、椅子として使用することはできない。
【考案の概要】
【考案が解決しようとする課題】
【０００４】
本考案は、物を収納できるとともに、使用していない時はしまっておくのに便利なように小さく折りたため、更には椅子としての機能も兼ね備えた収納箱の構造を提供することを目的とする。
【課題を解決するための手段】
【０００５】
本考案の椅子として使用可能な収納箱の構造は、折りたたんで偏平状にすることが可能な箱体の上端の一辺を蓋体に連結し、箱体の内壁面における複数の角に近い位置に複数の第一固定部材を設け、箱体の内壁面には、折り曲げ可能な複数の仕切り板を連結させ、仕切り板は、折り曲げた後に箱体の内壁面にくっつけるか、展開して箱体の内部空間を区切る。さらに、箱体内には複数の補強棒を設け、補強棒に設けられた第二固定部材によって補強棒を第一固定部材に固定すると、補強棒は箱体内の角の位置で直立した状態になり、箱体を補強する効果がある。また、蓋体で箱体の蓋をする際、補強棒によって蓋体が支えられ椅子として使用することができるようになる。仕切り板は、展開すると、箱体内部を複数の空間に区切ることができる以外に、蓋体を支える補助的な役目も果たす。さらに、箱体の内壁面には複数の環状留め具を設け、吊掛棒を環状留め具に貫設することで、書類やその他の物を吊り掛けることができる。
【図面の簡単な説明】
【０００６】
【図１】本考案の実施例１による収納箱の構造における主要な構成部材を示した分解斜視図である。
【図２】図１の部材を組み立てた後の状態を示した斜視図である。
【図３】図２のＡ領域の構造を示した部分拡大図である。
【図４】図３の蓋体の各側壁を折りたたんだ後の状態を示した部分斜視図である。
【図５】本考案の收納箱において、蓋体で箱体の蓋をし椅子として使用する際の状態を示した斜視図である。
【図６】本考案の收納箱を折りたたんで偏平状にした状態を示した斜視図である。
【図７】箱体内に仕切り板と補強棒を設けた本考案の実施例２による收納箱を示した斜視図である。
【図８】図７の補強棒を箱体内に取り付けた状態を示した斜視図である。
【図９】本考案の実施例２の仕切り板を折り曲げて箱体の内壁にくっつけた状態を示した斜視図である。
【考案を実施するための形態】
【０００７】
（実施例１）
図１に示すように、本考案の実施例１による收納箱１は、箱体１１と、蓋体１２と、底板１３と、複数の補強棒１４とによって構成する。その内、箱体１１は、軟質の布材で複数の硬質の板体を覆ってなり、箱体１１の底面は軟質の布材であるとともに、箱体の底面の各辺はそれぞれ上方に延伸して側壁を形成する。その内、一方の対向する二つの側壁は折り曲げることができない。また、他方の対向する二つの側壁はそれぞれ布材で二つの板体を覆ってなり、二つの板体の間は垂直方向に伸びる折線１１１を形成し、側壁を折り曲げることができる。さらに箱体１１の隣接する二つの側壁の間も折り曲げることができるため、箱体１１全体を折りたたんで偏平状にすることができる。また、箱体１１を立体状にした際、軟質の箱体の底面には硬質の底板１３を置くことで、箱体を支える機能を提供する。箱体の内壁面における複数の角に隣接する位置には複数の第一固定部材１１２を設けるとともに、箱体の内壁面には複数の環状留め具１１３を設ける。
【０００８】
好ましい実施例における補強棒１４は、布材で複数の長方形の板体を覆ってなる。各板体の間には隙間を設け、布材で連結することにより二つの板体の間を折り曲げることができる。また、補強棒の表面には第二固定部材１４１を設ける。以上の構造により、補強棒を、収納に便利なように展開して偏平状にすることも、折り曲げて柱状の補強棒１４にすることもできる。本実施例においては、補強棒１４は、折り曲げると端面が三角形を呈する三角柱体であり、その三角柱の補強棒は、箱体１１の各角の位置にぴったりと取り付ける。箱体１１内壁面に設けられた第一固定部材１１２にはフェルトを設け、また、補強棒１４に設けられた第二固定部材１４１にもフェルトを設けることにより、フェルト同士がくっついて固定される。本考案は、釘やその他の適切な固定部材によってフェルトに代替することができる。箱体１１内壁面に設けられた環状留め具１１３には、吊掛棒２（図２に図示）を貫設し、書類やその他の物を吊り掛けることができる。
【０００９】
蓋体１２の一辺は箱体１１に縫い合わせて連結させ、蓋体１２の頂面は、その内部にスポンジを具えたクッション体１２４を形成する。図１から図３に示すように、蓋体１２のその他の辺は、複数の側板により側壁を形成し、側壁は、対向する両側に設けられた二枚の第一側板１２１と、二枚の第二側板１２２と、二枚の第二側板１２２に隣接する第三側板１２３とによってなる。第一側板１２１、第二側板１２２、及び第三側板１２３は、いずれも軟性の布材で覆い、第一側板１２１、第二側板１２２、第三側板１２３の間に、折り曲げることができる折線を形成させる。第二側板１２２は直角三角形であり、第一側板１２１における第二側板１２２に隣接する端部は、第二側板１２２の直角三角形の斜辺に対応する斜辺を形成する。以上の構造により、第一側板１２１、第二側板１２２、及び第三側板１２３は、それぞれを折り曲げて折りたたむことにより偏平状にすることができる（図４に図示）。また、前述の構造により、蓋体１２で箱体１１の蓋をした時に、補強棒１４によって蓋体１２の下面が支えられ、椅子として使用することができる（図５に図示）。そして、收納箱を使用しない時は、箱体１１と蓋体１２を折りたたんで図６に示すような偏平状にすることができ、携帯する際やしまっておくのに便利である。
【００１０】
（実施例２）
図７と図８に示すように、本考案の実施例２においては、箱体１１内に補強棒１４を設ける以外に、箱体１１の内壁面に、折り曲げ可能な複数の仕切り板を設ける。仕切り板は、軟質の布材で複数の第一仕切り板１５Ａと複数の第二仕切り板１５Ｂを覆ってなる。各第一仕切り板１５Ａの間、あるいは各第二仕切り板１５Ｂの間には隙間を設け、布材で連結することにより二枚の板体の間を折り曲げることができる。仕切り板の両辺は、箱体の垂直の二つの内壁面に縫い合わせて連結させ、箱体内部に仕切りが必要な時は、図７と図８に示すように、第一仕切り板１５Ａと第二仕切り板１５Ｂを展開させ、箱体１１の内部空間を複数の小スペースに区切る。また、それと同時に、展開された後の第一仕切り板１５Ｂと第二仕切り板１５Ｂによって蓋体１２を補助的に支えることができ、椅子として使用する際の強度を向上させる。また、使用していない時は、第一仕切り板１５Ａと第二仕切り板１５Ｂを折り曲げて箱体の内壁面にくっつけ（図９に図示）、その後、さらに、箱体と蓋体を折りたたんで図６に示すような偏平状にすることができる。
【符号の説明】
【００１１】
１        收納箱
１１      箱体
１１１    折線
１１２    第一固定部材
１１３    環状留め具
１２      蓋体
１２１    第一側板
１２２    第二側板
１２３    第三側板
１２４    クッション体
１３      底板
１４      補強棒
１５Ａ    第一仕切り板
１５Ｂ    第二仕切り板
２        吊掛棒
【図１】
0003160270.tif 000003
【図２】
0003160270.tif 000004
【図３】
0003160270.tif 000005
【図４】
0003160270.tif 000006
【図５】
0003160270.tif 000007
【図６】
0003160270.tif 000008
【図７】
0003160270.tif 000009
【図８】
0003160270.tif 000010
【図９】
0003160270.tif 000011